(57)【要約】【課題】テープ状の清掃媒体の格別な繰り出し操作を不要として清掃作業が容易で、且つ操作忘れを防ぎ、フェルールに致命的な傷を招くことなく付着塵埃などの確実な除去を可能とする。【解決手段】繰出軸５から繰り出された特殊紙３７を巻き取る巻取軸７と特殊紙３７の裏面に対向する受け面３９を備えた受け台９と、特殊紙３７を挟んで受け面３９に対向形成されたガイド窓１１と、受け台９の延設方向に往復移動操作可能なホルダ１３と、受け面３９に対し特殊紙３７を介してフェルールの端面を押圧するための保持部１５と、ホルダ１３及び連動軸１７間を連繋させホルダ１３の移動を連動軸１７の軸方向中間部の移動位置から連動軸１７の回転に変換する回転変換部１９と、連動軸１７の回転を巻取軸７に伝達して巻取軸７を巻き取り回転させる回転伝達部２１とを備えたことを特徴とする。【選択図】図５
2010072474.tif 000002
【特許請求の範囲】
【請求項１】
光コネクタのフェルールの端面を清掃するための光コネクタ用クリーナであって、
テープ状の清掃媒体が繰り出し可能に巻き付けられケースに支持された繰出軸と、
前記ケースに支持され前記繰出軸から繰り出された清掃媒体を巻き取る巻取軸と、
前記巻取軸の軸方向に延設されて前記ケースに支持され前記清掃媒体の裏面に対向する受け面を備えた受け台と、
前記ケースに設けられ前記清掃媒体を挟んで前記受け面に対向形成されたガイド窓と、
前記ガイド窓に支持され前記受け台の延設方向に往復移動操作可能なホルダと、
前記ホルダに設けられ前記フェルールを挿入支持させて前記受け面に対し前記清掃媒体を介して前記フェルールの端面を押圧するための保持部と、
前記受け台の延設方向に沿って軸心が配置された連動軸と、
前記ホルダ及び連動軸間を連繋させ前記ホルダの移動を所定の移動位置から前記連動軸の回転に変換する回転変換部と、
前記連動軸の回転を前記巻取軸に伝達して該巻取軸を巻き取り回転させる回転伝達部と、
を備えたことを特徴とする光コネクタ用クリーナ。
【請求項２】
請求項１記載の光コネクタ用クリーナであって、
前記回転変換部は、前記ホルダに突設されたピン部と前記連動軸に設けられたカム部である、
ことを特徴とする光コネクタ用クリーナ。
【請求項３】
請求項２記載の光コネクタ用クリーナであって、
前記カム部は、前記連動軸の軸方向中央を挟んで対向形成された第１，第２のカム筒部を有し、
前記第１，第２のカム筒部は、前記ピン部が回転方向に係合可能なスリットを回転方向に位置ずれして各開放端が相互に対向するように回転方向に一定間隔で複数備え、
前記各スリットの回転方向後縁は、軸方向に沿って直線的に形成されると共に各スリットの回転方向前縁は、回転方向に傾斜形成されて各後縁の開放端側が各前縁の中間部に指向し、
前記ピン部が前記ホルダの移動時に前記第１，第２のカム筒部の一方の後縁から他方の前縁へ当接するように移行し該前縁に対する前記ピン部の当接移動により前記連動軸を回転させる、
ことを特徴とする光コネクタ用クリーナ。
【請求項４】
請求項１〜３の何れかに記載の光コネクタ用クリーナであって、
前記ホルダは、前記保持部を前記フェルールのサイズ毎に複数備えた、
ことを特徴とする光コネクタ用クリーナ。
【請求項５】
請求項１〜４の何れかに記載の光コネクタ用クリーナであって、
前記受け面に、前記フェルールの当接を干渉する弾性シートをライニングした、
ことを特徴とする光コネクタ用クリーナ。
【発明の詳細な説明】
【技術分野】
【０００１】
本発明は、光コネクタのフェルールの端面を清掃するために供される光コネクタ用クリーナに関する。
【背景技術】
【０００２】
従来、光コネクタのフェルールの端面を清掃するための方法として、アルコールによる拭き取りやフロンガスによる吹き付けが知られている。
【０００３】
しかし、前者は清掃を行う個人によってアルコールの量や拭き取りの程度が大きく異なるため、清掃効果にバラツキが発生し易い。また、アルコールは引火し易いので、その取り扱いや保管は火気の点から十分に注意を要する。
【０００４】
一方、フロンガスはオゾン層を破壊することが知られており、その環境有害性から使用規制が国際的になされている。
【０００５】
これに対し、清掃媒体として、乾式且つテープ状に加工されたクリーニング用の布（クリーナテープ）を光コネクタのフェルールの端面に押し当て、該フェルールの端面に付着した塵埃、油膜などを除去する清掃装置が提案されている。
【０００６】
この装置では、テープ送りレバーを回動させてクリーナテープをリールに巻き取らせ、新しいクリーナテープを供給リールから繰り出すようにしている。
【０００７】
したがって、光コネクタのフェルールの端面をクリーナテープに押し付け、クリーナテープの巻き取り方向と逆方向に走査することによりフェルールの端面の付着塵埃などを除去することができる。
【０００８】
しかし、上記従来のようにテープ送りレバーを回動させなければ新しいクリーナテープが繰り出されない構造であると、作業者に作業スキルを要求することになり、その都度のレバーの回動によるクリーナテープの繰り出し操作により清掃作業が煩雑になるという問題があった。
【０００９】
また、作業者がテープ送りレバーの回動操作を忘れると、クリーナテープの既使用の部分で再度清掃作業が行なわれ、以前の清掃作業によるクリーナテープに付着した塵埃により却って新規清掃フェルールの端面に致命的な傷を招く恐れがある。
【００１０】
【特許文献１】特開平９−１０５８３５号公報
【特許文献２】特開平８−１０１３２６号公報
【特許文献３】特開平８−１０１３２５号公報
【発明の開示】
【発明が解決しようとする課題】
【００１１】
解決しようとする問題点は、テープ状の清掃媒体の繰り出し操作により清掃作業が煩雑になり、且つ繰り出し操作を忘れると以前の清掃作業によるクリーナテープに付着した塵埃により却って新規清掃フェルールの端面に致命的な傷を招く恐れがあった点である。
【課題を解決するための手段】
【００１２】
本発明は、テープ状の清掃媒体の格別な繰り出し操作を不要にして清掃作業を容易とし、且つ繰り出し操作忘れを防ぎ、フェルールに致命的な傷を招くことなく付着塵埃などの確実な除去を可能とするため、光コネクタのフェルールの端面を清掃するための光コネクタ用クリーナであって、テープ状の清掃媒体が繰り出し可能に巻き付けられケースに支持された繰出軸と、前記ケースに支持され前記繰出軸から繰り出された清掃媒体を巻き取る巻取軸と、前記巻取軸の軸方向に延設されて前記ケースに支持され前記清掃媒体の裏面に対向する受け面を備えた受け台と、前記ケースに設けられ前記清掃媒体を挟んで前記受け面に対向形成されたガイド窓と、前記ガイド窓に支持され前記受け台の延設方向に往復移動操作可能なホルダと、前記ホルダに設けられ前記フェルールを挿入支持させて前記受け面に対し前記清掃媒体を介して前記フェルールの端面を押圧するための保持部と、前記受け台の延設方向に沿って軸心が配置された連動軸と、前記ホルダ及び連動軸間を連繋させ前記ホルダの移動を所定の移動位置から前記連動軸の回転に変換する回転変換部と、前記連動軸の回転を前記巻取軸に伝達して該巻取軸を巻き取り回転させる回転伝達部とを備えたことを最も主要な特徴とする。
【発明の効果】
【００１３】
本発明の光コネクタ用クリーナでは、光コネクタのフェルールの端面を清掃するための光コネクタ用クリーナであって、テープ状の清掃媒体が繰り出し可能に巻き付けられケースに支持された繰出軸と、前記ケースに支持され前記繰出軸から繰り出された清掃媒体を巻き取る巻取軸と、前記巻取軸の軸方向に延設されて前記ケースに支持され前記清掃媒体の裏面に対向する受け面を備えた受け台と、前記ケースに設けられ前記清掃媒体を挟んで前記受け面に対向形成されたガイド窓と、前記ガイド窓に支持され前記受け台の延設方向に往復移動操作可能なホルダと、前記ホルダに設けられ前記フェルールを挿入支持させて前記受け面に対し前記清掃媒体を介して前記フェルールの端面を押圧するための保持部と、前記受け台の延設方向に沿って軸心が配置された連動軸と、前記ホルダ及び連動軸間を連繋させ前記ホルダの移動を所定の移動位置から前記連動軸の回転に変換する回転変換部と、前記連動軸の回転を前記巻取軸に伝達して該巻取軸を巻き取り回転させる回転伝達部とを備えた。
【００１４】
このため、ホルダの保持部にフェルールを挿入支持させて受け台の受け面に対しテープ状の清掃媒体を介して前記フェルールの端面を押圧し、ホルダを受け台に沿ってガイド窓に対し移動させると、フェルールの端面をテープ状の清掃媒体により相対的に払拭させることができ、付着塵埃などの除去を行わせることができる。
【００１５】
このとき、ホルダの移動により、所定の移動位置から回転変換部を介して連動軸を回転させることができ、この回転により回転伝達部を介して巻取軸を巻き取り回転させることができる。
【００１６】
したがって、巻取軸にテープ状の清掃媒体を巻き取らせることができ、ホルダの移動による再度の清掃に際し、受け面にテープ状の清掃媒体の未使用部分を自動的に配置させることができる。
【００１７】
このため、受け面にテープ状の清掃媒体の未使用部分を配置させるためにレバー操作等を必要とせず、特別な作業スキルを必要とせず、清掃作業を容易に行わせることができる。
【００１８】
しかも、テープ状の清掃媒体の繰り出し忘れがなく、フェルールに致命的な傷を招くことなくフェルールの端面の付着塵埃などの除去を確実に行わせることができる。
【発明を実施するための最良の形態】
【００１９】
テープ状の清掃媒体の格別な繰り出し操作を不要にして清掃作業を容易とし、且つ操作忘れを防ぎフェルールに致命的な傷を招くことなく付着塵埃などの確実な除去を可能にするという目的を、ホルダの移動に巻取軸を連動させることで実現した。
【実施例１】
【００２０】
［光コネクタ用クリーナ］
図１は、本発明の実施例１に係る光コネクタ用クリーナの斜視図、図２は、光コネクタ用クリーナに係り、ケースのカバーを開いた状態の斜視図、図３は、カバーとホルダとを示す斜視図、図４は、光コネクタ用クリーナに係り、ケースのカバーを半分切り欠いた状態の平面図、図５は、図４のＶ−Ｖ線矢視断面図、である。
【００２１】
なお、以下の説明においては、各軸の軸方向を左右方向又は幅方向、軸直交縦方向を上下方向、軸並列方向を前後方向とする。
【００２２】
図１〜図５のように、光コネクタ用クリーナ１は、光コネクタのフェルールの端面を清掃するためのものであり、ケース３に支持された繰出軸５と巻取軸７と受け台９と、ケース３に形成されたガイド窓１１と、ガイド窓１１に支持されたホルダ１３と、ホルダ１３に設けられた保持部１５と、ケース３に支持された連動軸１７と、ホルダ１３及び連動軸１７間の回転変換部１９と、連動軸１７及び巻取軸５間の回転伝達部２１とを備えている。
【００２３】
前記ケース３は、ケース本体２３にカバー２５を合わせ、両者がビス２７の締結などにより着脱自在に結合されている。
【００２４】
ケース本体２３には、幅方向両側の内面底部側に受け台位置決部２９が突設され、幅方向両側の上縁部に上端開放の第１，第２，第３の軸支部３１，３３，３５が設けられている。
【００２５】
カバー２５には、前記ガイド窓１１が形成されている。このガイド窓１１は、ホルダ１３をスライド支持させるものであり、テープ状の清掃媒体である特殊紙３７を挟んで受け面３９に対向形成されている。なお、特殊紙３７は、布、不織布などフェルールの清掃に適したものであれば良い。ガイド窓１１は、スライド用支持開口４１と露出用開口４３とからなっている。
【００２６】
スライド用支持開口４１は、カバー２５の幅方向に長い矩形形状に形成され、スライド用縁部４１ａ，４１ｂは、周辺部２５ａに対しカバー２５内側へ低くなる段付き状に形成されている。
【００２７】
露出用開口４３は、スライド用支持開口４１よりも一回り小さく形成され、スライド用支持開口４１を覆うリッド４５に形成されている。リッド４５は、例えばカバー２５と一体の樹脂ヒンジ４５ａにより開閉自在となっている。
【００２８】
前記繰出軸５は、テープ状の特殊紙３７が繰り出し可能に巻き付けられケース３に支持されている。この繰出軸３は、繰出胴部４７と軸方向両端のフランジ部４９及び支持軸突部５１とからなっている。テープ状の特殊紙３７は、前記繰出胴部４７に巻き付けられ、上側から繰り出し可能となっている。
【００２９】
支持軸突部５１は、ケース本体２３の第１の軸支部３１に回転自在に嵌合支持され、前記ケース３への支持が行われている。繰出軸５は、ケース本体２３からカバー２５を取り外した状態で第１の軸支部３１に対し上下方向で着脱させることができる。
【００３０】
前記巻取軸７は、ケース３に支持され前記繰出軸５から繰り出されたテープ状の特殊紙３７を巻き取るものである。この巻取軸７は、繰出胴部５３と軸方向両端のフランジ部５５及び支持軸突部５７と軸方向一端のギヤ５９とからなっている。
【００３１】
支持軸突部５７は、ケース本体２３の第２の軸支部３３に回転自在に嵌合支持され、前記ケース３への支持が行われている。巻取軸７は、ケース本体２３からカバー２５を取り外した状態で第２の軸支部３３に対し上下方向で着脱させることができる。
【００３２】
前記受け台９は、前記巻取軸７に隣接配置され、巻取軸７の軸方向に延設されている。この受け台９は、前記ケース３に支持され前記テープ状の特殊紙３７の裏面に対向する前記受け面３９を備えている。テープ状の特殊紙３７は、この受け面３９上から迂回配索されている。
【００３３】
受け面３９には、フェルールの当接を干渉する弾性シート６１、例えばゴムシート、スポンジシートなどがライニングされている。この弾性シート６１は、省略することもできる。受け台９の一側には、２個のピニオン６３，６５が支持されている。このピニオン６３，６５は、相互に噛み合い、ピニオン６３は、前記巻取軸７のギヤ５９に噛み合っている。
【００３４】
なお、受け台９の詳細は、図６〜図８により後述する。
【００３５】
前記ホルダ１３は、前記ガイド窓１１に支持され前記受け台９の延設方向に往復移動操作可能となっている。このホルダ１３には、保持部１５がフェルールのサイズ毎に複数、例えば第１、第２の保持部６７，６９が備えられている。
【００３６】
保持部１５は、単数にすることもできる。この保持部１５は、フェルールを挿入支持させて前記受け面３９に対し前記テープ状の特殊紙３７を介して前記フェルールの端面を押圧するためのものである。
【００３７】
なお、ホルダ１３の詳細は、図９〜図１２を後述する。
【００３８】
前記連動軸１７は、前記ホルダ１３の延設方向に沿って軸心が配置されている。この連動軸１７は、軸方向両端の支持軸突部７０と軸方向一端のギヤ７１とを備えている。支持軸突部７０は、ケース本体２３の第３の軸支部３５に回転自在に嵌合支持され、前記ケース３への支持が行われている。
【００３９】
連動軸１７は、ケース本体２３からカバー２５を取り外した状態で第３の軸支部３５に対し上下方向で着脱させることができる。ギヤ７１は、前記ピニオン６５に噛み合っている。
【００４０】
前記回転変換部１９は、前記ホルダ１３及び連動軸１７間を連繋させ前記ホルダ１３の移動を所定の移動位置から前記連動軸１７の回転に変換するものである。この回転変換部１９は、前記ホルダ１３に突設されたピン部７３と前記連動軸１７に設けられたカム部７５とからなっている。なお、図５では、ピン部７３等の図示は省略している。
【００４１】
ピン部７３は、ホルダ１３との関係で図９〜図１２により、カム部７５は、連動軸１７との関係で図１３，図１４により後述する。
【００４２】
前記回転伝達部２１は、連動軸１７の回転を前記巻取軸７に伝達して該巻取軸７を巻き取り回転させるものである。この回転伝達部２１は、本実施例において前記ギヤ５９、ピニオン６３，６５、及びギヤ７１のギヤ組で構成されている。
［受け台］
図６〜図８は、受け台の詳細を示し、図６は、受け台の平面図、図７は、受け台の側面図、図８は、図６のＩＩＸ−ＩＩＸ線矢視断面図である。
【００４３】
図６〜図８のように、受け台９は、受け面３９を備えた天板部７７と天板部７７の両端に設けられた一対の側板部７９とにより概ね構成されている。
【００４４】
天板部７７は、受け面３９が連動軸１７側へ下降するように傾斜設定され、連動軸１７側の端縁に、突条部８１が形成されている。突条部８１には、アール部８１ａが形成されている。
【００４５】
受け面３９には、前記弾性シート６１がライニングされる。前記繰出軸５側から引き回されているテープ状の特殊紙３７は、受け面３９の弾性シート６１上に走行可能に配置され、突条部８１に掛け回されて前記巻取軸７側へ至っている。  
受け面３９の傾斜によりテープ状の特殊紙３７の弾性シート６１に対する面接触を規制することができ、弾性シート６１に対する走行抵抗を抑制させることができる。突条部８１に対する掛け回しでは、アール部８１ａが滑らかなガイドを可能にしている。
【００４６】
両側板部７９間は、ビーム部８３で結合され、受け台９の剛性が保持されている。受け台９の両側板部７９には、座部８５が外側方へ突設されている。両座部８５には、位置決めスリット８７が形成されている。受け台９の前記ケース本体２３内での配置において位置決めスリット８７が受け台位置決部２９に嵌合してケース本体２３に対する受け台９の位置決めが成される。
【００４７】
側板部７９の一方の外面には、一対の支持軸突部８９，９１が突設され、前記ピニオン６３，６５が回転自在に支持される。
［ホルダ］
図９〜図１２は、ホルダの詳細を示し、図９は、ホルダの斜視図、図１０は、ホルダの平面図、図１１は、ホルダの側面図、図１２（ａ）（ｂ）は、図１０のＸＩＩ−ＸＩＩ線矢視断面図である。
【００４８】
図９〜図１２のように、ホルダ１３は、ベース部９３を備え、このベース部９３の前後両側に係合壁部９５，９７が立ち上げられている。係合壁部９５の上縁には、スライド係合部９９が幅方向に渡って前方へ向けて突設され、係合壁部９７の上縁には、スライド係合部１０１が幅方向の両側に一対後方へ向けて突設されている。
【００４９】
係合壁部９７に、アーム部１０３が後方上方へ湾曲形成され、アーム部１０３の先端に前記ピン部７３が下方へ向けて突設されている。アーム部１０３の後方上方へ湾曲形成により、ピン部７３の高さ寸法を係合壁部９７の高さ寸法に上下方向にオーバーラップさせることができ、ホルダ１３の高さ寸法の増加を抑制することができる。
【００５０】
ベース部９３には、前記第１，第２の保持部６７，６９が設けられている。第１，第２の保持部６７，６９は、ベース部９３の貫通孔６７ａ，６９ａとこの貫通孔６７ａ，６９ａに連通する筒部６７ｂ，６９ｂとからなっている。筒部６７ｂ，６９ｂの上端及び筒部６７ｂ，６９ｂの下端周囲には、水準出し面６７ｃ，６９ｃ，６７ｄ，６９ｄが形成されている。
【００５１】
このホルダ１３は、ベース部９３側がスライド用支持開口４１内に上方から挿入され、スライド係合部９９が、スライド用縁部４１ａ上に配置され、スライド係合部１０１が、スライド用縁部４１ｂ上に配置される。この配置状態では、アーム部１０３がカバー２５内で連動軸１７側上へ延び、ピン部７３がカム部７５側上に配置される。
【００５２】
リッド４５は、閉じられることでスライド用支持開口４１上を覆い、リッド４５の露出用開口４３に第１，第２の保持部６７，６９が臨むことになる。
【００５３】
このホルダ１３に対するフェルールＦ１又はフェルールＦ２の保持は、破線のように行われる。なお、図では説明上、ホルダ１３にフェルールＦ１及びフェルールＦ２の双方を破線で概略図示しているが、清掃作業に際してはサイズに応じて何れか一方を選択的に保持させることになる。
【００５４】
ホルダ１３の第１，第２の保持部６７，６９の何れかに保持させたフェルールＦ１又はフェルールＦ２は、その種類により、図１２（ａ）の水準出し面６７ｃ，６９ｃ又は，図１２（ｂ）の水準出し面６７ｄ，６９ｄに突き当てられて位置決められ、フェルール端面Ｆ１ａ，Ｆ２ａの貫通孔６７ａ，６９ａからの突出量が決定される。
［回転変換部］
図１３，図１４は、回転変換部の詳細を示し、図１３は、回転変換部の平面図、図１４は、回転変換部の断面図である。
【００５５】
図１３，図１４のように、回転変換部１９のカム部７５は、第１，第２のカム筒部１０７，１０９を有している。第１，第２のカム筒部１０７，１０９は、連動軸の軸方向中央を挟んで対向形成され、スリット１０７ａ，１０９ａが回転方向に一定間隔で複数備えられている。
【００５６】
各スリット１０７ａ，１０９ａは、回転方向に位置ずれして各開放端が相互に対向するように形成されている。この各スリット１０７ａ，１０９ａには、ピン部７３が回転方向に係合する。
【００５７】
各スリット１０７ａ，１０９ａの回転方向後縁１０７ａａ，１０９ａａは、軸方向に沿って直線的に形成されると共に各スリット１０７ａ，１０９ａの回転方向前縁１０７ａｂ，１０９ａｂは、回転方向に傾斜形成されて各後縁１０７ａａ，１０９ａａの開放端側が各前縁１０７ａｂ，１０９ａｂの中間部に軸方向に指向している。
【００５８】
したがって、前記回転変換部１９のピン部７３が前記ホルダ１３の移動時に前記第１，第２のカム筒部１０７，１０９の一方、例えば第１のカム筒部１０７の後縁１０７ａａから他方、例えば第２のカム筒部１０９の前縁１０９ａｂへ当接するように移行し、該前縁１０９ａｂに対する前記ピン部７３の当接移動により前記連動軸１７を回転させることができる。
【００５９】
なお、繰出軸５及び巻取軸７の配置は、逆にすることもでき、この配置では、連動軸１７を逆回転とするため、後縁１０７ａａ，１０９ａａ、前縁１０７ａｂ，１０９ａｂの関係を逆配置とする。
［清掃作業］
作業開始時、ホルダ１３は、ガイド窓１１の左右端何れかに位置する。例えば、ホルダ１３側のピン部７３は、第１のカム筒部１０７のスリット１０７ａの左端部（奥側）に位置する。
【００６０】
この位置において、光コネクタは、サイズに応じて露出用開口４３に臨んでいる何れかの筒部６７ｂ，６９ｂに装着され、フェルールＦ１，Ｆ２が対応する筒部６７ｂ，６９ｂの何れかに選択的に差し込まれ、特殊紙３７を介して受け面３９の弾性シート６１に押し当てられる。
【００６１】
光コネクタを介してホルダ１３に右方向への引き力を与えると、ホルダ１３のスライド係合部９９，１０１が、スライド用縁部４１ａ，４１ｂにスライドガイドされつつ、ホルダ１３が、スライド用支持開口４１及び露出用開口４３に沿って移動する。
【００６２】
この移動により保持されたフェルールＦ１又はＦ２の端面Ｆ１ａ又はＦ２ａが特殊紙３７により相対的に払拭され、端面の付着塵埃などを除去させることができる。
【００６３】
前記第１のカム筒部１０７側での移動は、直線状の後縁１０７ａａに沿って行われるから、連動軸１７は回転せず、弾性シート６１に対し静止した特殊紙３７により端面の払拭が行われる。
【００６４】
ホルダ１３が第１のカム筒部１０７から第２のカム筒部１０９側へ移行すると、ピン部７３が、第１のカム筒部１０７の後縁１０７ａａから第２のカム筒部１０９の前縁１０９ａｂへ当接するように移行し、該前縁１０９ａｂに対する前記ピン部７３の当接移動により前記連動軸１７を回転させることができる。この連動軸１７の回転は、傾斜した前縁１０９ａｂの全長において行われる。
【００６５】
連動軸１７の回転は、ギヤ７１，ピニオン６５，６３、ギヤ５９の噛合回転により伝達され、巻取軸７が巻き取り回転する。
【００６６】
この回転によりテープ状の特殊紙３７が繰出軸５の連動回転と共に繰り出され弾性シート６１上に特殊紙３７の未使用の部分が配置される。
【００６７】
前記のようにホルダ１３の第２のカム筒部１０９側での移動時には、テープ状の特殊紙３７が繰り出されつつホルダ１３の直線移動によりフェルール端面Ｆ１ａ又はＦ２ａの払拭は行われる。このため、第２のカム筒部１０９側から前記とは逆に第１のカム筒部１０７側へ戻るとき、新たに装着するなどした光コネクタのフェルールＦ１の端面Ｆ１ａ又はＦ２ａが、特殊紙３７の既使用の部分に接触することはない。
【００６８】
第２のカム筒部１０９側から第１のカム筒部１０７側へのホルダ１３の移動時も、第１，第２のカム筒部１０７，１０９のスリット１０７ａ，１０９ａの前後縁１０７ａｂ，１０９ａｂ、１０７ａａ，１０９ａａにより連動軸１７を同方向へ連動回転させることができる。
【００６９】
また、スリット１０７ａ，１０９ａが回転方向にずれて形成されているから、ホルダ１３の往復移動によりピン部７３が回転方向で前回とは異なるスリット１０７ａ，１０９ａに引き継がれ、連動軸１７を一方向へ連動回転させ、特殊紙３７を繰出軸５から繰り出させると共に巻取軸７へ巻き取らせることができる。
【００７０】
このような特殊紙３７の自動的な繰り出し操作において、第１，第２の保持部６７，６９の何れかにフェルールＦ１又はＦ２を選択的に保持させたホルダ１３をスライド用支持開口４１に沿い第１，第２のカム筒部１０７，１０９に渡って特殊紙３７の幅内片道の移動或いは１往復の移動を行わせることでフェルール端面Ｆ１ａ又はＦ２ａの清掃が終了する。
【００７１】
この片道の移動又は１往復の移動をワンターンとすると、ワンターンは、清掃を完了させるための移動量を意味し、清掃の要求される清掃精度により任意に設定することができる。
【００７２】
このため、片道の移動をワンターンとする場合に、スライド用支持開口４１の長さ及び特殊紙３７の幅を、第１の保持部６７に保持されるサイズの大きなフェルールＦ１に合わせて設定すれば、何れのフェルールＦ１，Ｆ２についても片道の移動をワンターンとすることができる。
【００７３】
但し、サイズの大きなフェルールＦ１は、１往復或いはそれ以上の移動をワンターンに設定すると共にサイズの小さなフェルールＦ２は、片道の移動等相対的に短い移動をワンターンとして設定することも可能である。
【００７４】
このようなワンターンの移動量或いはサイズ毎のワンターンの移動量は、カバー２５の表面などに表示するのがよい。
【００７５】
こうして、フェルール端面Ｆ１ａ又はＦ２ａの清掃をワンターンで終了させることができるので、作業者に清掃の善し悪しの判断を求める必要がなく、清掃精度に個人のばらつきを招くことを抑制できる。
［特殊紙の交換］
本実施例では、特殊紙３７を使い切りとするが、交換することも可能である。
【００７６】
特殊紙３７の交換に際しては、ビス２７を離脱させてカバー２５を外し、ケース本体２３上を開く。
【００７７】
繰出軸５、巻取軸７、受け台９を共に上方へ引き抜き、新たな特殊紙３７を巻いた繰出軸５、巻取軸７、受け台９のセットと交換する。
【００７８】
なお、繰出軸５、巻取軸７、受け台９は交換せず、新たな特殊紙３７を繰出軸５に装着させ、その始端を受け台９に巻き付けるようにして迂回させ、その端部を巻取軸７に結合させ、この特殊紙３７のみを交換したセットを、ケース本体２３に再組み付けする構成にすることもできる。
［実施例の効果］
本発明実施例は、光コネクタのフェルールＦ１又はＦ２の端面を清掃するための光コネクタ用クリーナ１であって、テープ状の特殊紙３７が繰り出し可能に巻き付けられケース３に支持された繰出軸５と、前記ケース３に支持され前記繰出軸５から繰り出された特殊紙３７を巻き取る巻取軸７と、前記巻取軸７の軸方向に延設されて前記ケース３に支持され前記特殊紙３７の裏面に対向する受け面３９を備えた受け台９と、前記ケース３に設けられ前記特殊紙３７を挟んで前記受け面３９に対向形成されたガイド窓１１と、前記ガイド窓１１に支持され前記受け台９の延設方向に往復移動操作可能なホルダ１３と、前記ホルダ１３に設けられ前記フェルールＦ１又はＦ２を挿入支持させて前記受け面３９に対し前記特殊紙３７を介して前記フェルールＦ１又はＦ２の端面Ｆ１ａ又はＦ２ａを押圧するための保持部１５（第１、第２の保持部６７，６９）と、前記受け台９の延設方向に沿って軸心が配置された連動軸１７と、前記ホルダ１３及び連動軸１７間を連繋させ前記ホルダ１３の移動を連動軸１７の軸方向中間部の移動位置から前記連動軸１７の回転に変換する回転変換部１９と、前記連動軸１７の回転を前記巻取軸７に伝達して該巻取軸７を巻き取り回転させる回転伝達部２１とを備えた。
【００７９】
このため、ホルダ１３の第１、第２の保持部６７，６９の何れかにフェルールＦ１又はＦ２を挿入支持させて受け台９の受け面３９に対しテープ状の特殊紙３７を介して前記フェルールＦ１又はＦ２の端面Ｆ１ａ又はＦ２ａを押圧し、ホルダ１３を受け台９に沿ってガイド窓１１に対し移動させると、フェルールＦ１又はＦ２の端面Ｆ１ａ又はＦ２ａをテープ状の特殊紙３７により相対的に払拭させることができ、付着塵埃などの除去を行わせることができる。
【００８０】
ホルダ１３の移動により、連動軸１７の軸方向中間部の移動位置から回転変換部１９のカム部７５及びピン部７３を介して連動軸１７を回転させることができ、この回転により回転伝達部２１のギヤ７１，ピニオン６５，６３、ギヤ５９を介して巻取軸７を巻き取り回転させることができる。
【００８１】
したがって、巻取軸７にテープ状の特殊紙３７を巻き取らせることができ、ホルダ１３の移動による再度の清掃に際し、受け面３９にテープ状の特殊紙３７の未使用部分を自動的に配置させることができる。
【００８２】
このように、受け面３９にテープ状の特殊紙３７の未使用部分を配置させるためのレバー操作等を必要とせず、特別な作業スキルを必要とせず、清掃作業を容易に行わせることができる。
【００８３】
しかも、テープ状の特殊紙３７の繰り出し忘れがなく、フェルールＦ１又はＦ２の端面Ｆ１ａ又はＦ２ａの付着塵埃などの除去を、特殊紙３７の既使用の部分で行わせることがない。このため、フェルール端面Ｆ１ａ又はＦ２ａに致命的な傷を招くことなく確実に行わせることができる。
【００８４】
前記回転変換部１９は、前記ホルダ１３に突設されたピン部７３と前記連動軸１７に設けられたカム部７５である。
【００８５】
このため、ホルダ１３の移動をピン部７３及びカム部７５を介して連動軸１７へ確実に伝達し、巻取軸７を確実に巻き取り回転させることができる。
【００８６】
したがって、受け面３９にテープ状の特殊紙３７の未使用部分を自動で配置させ、レバー操作等を必要とせず、特別な作業スキルを必要とせず、清掃作業を容易に行わせることができる。
【００８７】
前記カム部７５は、前記連動軸１７の軸方向中央を挟んで対向形成された第１，第２のカム筒部１０７，１０９を有し、前記第１，第２のカム筒部１０７，１０９は、前記ピン部７３が回転方向に係合可能なスリット１０７ａ，１０９ａを回転方向に位置ずれして各開放端が相互に対向するように回転方向に一定間隔で複数備え、前記各スリット１０７ａ，１０９ａの回転方向後縁１０７ａａ，１０９ａａは、軸方向に沿って直線的に形成されると共に各スリット１０７ａ，１０９ａの回転方向前縁１０７ａｂ，１０９ａｂは、回転方向に傾斜形成されて各後縁１０７ａａ，１０９ａａの開放端側が各前縁１０７ａｂ，１０９ａｂの中間部に指向し、前記ピン部７３が前記ホルダ１３の移動時に前記第１，第２のカム筒部１０７，１０９の一方の後縁、例えば後縁１０７ａａから他方の前縁、例えば対向する前縁１０９ａｂへ当接するように移行し該前縁１０９ａｂに対する前記ピン部７３の当接移動により前記連動軸１７を回転させることができる。
【００８８】
このため、ホルダ１３の往復移動によりピン部７３と第１，第２のカム筒部１０７，１０９のスリット１０７ａ，１０９ａの前後縁１０７ａｂ，１０９ａｂ、１０７ａａ，１０９ａａとにより連動軸を確実に連動回転させることができる。
【００８９】
前記ホルダ１３は、前記保持部１５を前記フェルールＦ１又はＦ２のサイズ毎に複数、例えば第１、第２の保持部６７，６９を備えた。
【００９０】
このため、フェルールＦ１又はＦ２のサイズ毎に容易に対応させることができる。
【００９１】
前記受け面３９に、前記フェルールＦ１又はＦ２の当接を干渉する弾性シート６１、例えばスポンジシート、ゴムシートなどをライニングした。
【００９２】
このため、フェルール端面Ｆ１ａ又はＦ２ａの受け面３９に対する当たりを緩衝させることができ、フェルール端面Ｆ１ａ又はＦ２ａを特殊紙３７により確実に払拭させることができる。
［その他］
回転変換部１９は、ホルダ１３の移動を連動軸１７の回転に変換できればよく、カム部７５は、第１，第２のカム筒部１０７，１０９に限らず、連動軸１７の周面に直接形成することもできる。
【００９３】
ホルダ１３の全移動に応じて連動軸１７を連動回転させる構成にすることもできる。
【００９４】
ホルダ１３の往復移動に連動軸１７を回転連動させるものに限らず、往又は復の一方の移動時のみ回転連動させる構成にすることもできる。
【００９５】
回転伝達部２１は、ギヤによるものに限らず、摩擦車、ベルト伝動機構など、回転伝達できるものであればよい。
【図面の簡単な説明】
【００９６】
【図１】光コネクタ用クリーナの斜視図である。（実施例１）
【図２】光コネクタ用クリーナに係り、ケースのカバーを開いた状態の斜視図である。（実施例１）。
【図３】カバーとホルダとを示す斜視図である。（実施例１）
【図４】光コネクタ用クリーナに係り、ケースのカバーを半分切り欠いた状態の平面図である。（実施例１）
【図５】図４のＶ−Ｖ線矢視断面図である。（実施例１）
【図６】受け台の平面図である。（実施例１）
【図７】受け台の側面図である。（実施例１）
【図８】図６のＩＩＸ−ＩＩＸ線矢視断面図である。（実施例１）
【図９】ホルダの斜視図である。（実施例１）
【図１０】ホルダの平面図である。（実施例１）
【図１１】ホルダの側面図である。（実施例１）
【図１２】（ａ）（ｂ）は、図１０のＸＩＩ−ＸＩＩ線矢視断面図である。（実施例１）
【図１３】回転変換部の平面図である。（実施例１）
【図１４】回転変換部の断面図である。（実施例１）
【符号の説明】
【００９７】
１  光コネクタ用クリーナ  
３  ケース
５  繰出軸
７  巻取軸
９  受け台
１１  ガイド窓
１３  ホルダ
１５  保持部
１７  連動軸
１９  回転変換部
２１  回転伝達部
３７  特殊紙（テープ状の清掃媒体）
６７  第１の保持部
６９  第２の保持部
７３  ピン部
７５  カム部
１０７  第１のカム筒部
１０９  第２のカム筒部
１０７ａ，１０９ａ  スリット
１０７ａａ，１０９ａａ  回転方向後縁
１０７ａｂ，１０９ａｂ  回転方向前縁
Ｆ１，Ｆ２  フェルール
Ｆ１ａ，Ｆ２ａ  端面
【図１】
2010072474.tif 000003
【図２】
2010072474.tif 000004
【図３】
2010072474.tif 000005
【図４】
2010072474.tif 000006
【図５】
2010072474.tif 000007
【図６】
2010072474.tif 000008
【図７】
2010072474.tif 000009
【図８】
2010072474.tif 000010
【図９】
2010072474.tif 000011
【図１０】
2010072474.tif 000012
【図１１】
2010072474.tif 000013
【図１２】
2010072474.tif 000014
【図１３】
2010072474.tif 000015
【図１４】
2010072474.tif 000016